(57)【要約】  空調給湯システム全体の効率を向上させることができる空調給湯システムを提供する。  空調用冷媒回路（１０）は、空調用圧縮機（１１）と、空調用運転切替手段（１２）と、空調熱源側熱交換器（１３）と、減圧装置（１４，１６）と、空調利用側熱交換器（１５）と、第一冷媒と第二冷媒との熱交換する中間熱交換器（２１）と、を備え、空調用圧縮機（１１）と空調熱源側熱交換器（１３）との間で分岐して、分岐方向に流入する第一冷媒の流量を調整する第一分岐部（２２）と、空調用圧縮機（１１）と空調利用側熱交換器（１５）との間で分岐して、分岐方向に流入する第一冷媒の流量を調整する第二分岐部（３２）と、が形成され、中間熱交換器（２１）は、一端が第一分岐部（２２）および第二分岐部（３２）と接続し、他端が空調熱源側熱交換器（１３）と空調利用側熱交換器（１５）との間の合流部（２４）で接続し、第一冷媒の凝縮器として機能する。【選択図】図１
2012114450.tif 000002
【特許請求の範囲】
【請求項１】
第一冷媒が循環する空調用冷媒回路および第二冷媒が循環する給湯用冷媒回路を備える空調給湯システムであって、
前記空調用冷媒回路は、
第一冷媒を圧縮する空調用圧縮機と、
冷房運転と暖房運転とで第一冷媒の流れ方向を切り替える空調用運転切替手段と、
冷房運転時に凝縮器として機能し、暖房運転時に蒸発器として機能する空調熱源側熱交換器と、
第一冷媒を減圧する減圧装置と、
冷房運転時に蒸発器として機能し、暖房運転時に凝縮器として機能する空調利用側熱交換器と、
第一冷媒と第二冷媒との熱交換する中間熱交換器と、を備え、
前記空調用圧縮機と前記空調熱源側熱交換器との間で分岐して、分岐方向に流入する第一冷媒の流量を調整する第一分岐部と、
前記空調用圧縮機と前記空調利用側熱交換器との間で分岐して、分岐方向に流入する第一冷媒の流量を調整する第二分岐部と、が形成され、
前記中間熱交換器は、
一端が第一分岐部および第二分岐部と接続し、他端が前記空調熱源側熱交換器と前記空調利用側熱交換器との間の合流部で接続し、第一冷媒の凝縮器として機能する
ことを特徴とする空調給湯システム。
【請求項２】
前記減圧装置は、
前記合流部よりも前記空調利用側熱交換器の側に配置された第１減圧装置と、
前記合流部よりも前記空調熱源側熱交換器の側に配置された第２減圧装置と、を有する
ことを特徴とする請求の範囲第１項に記載の空調給湯システム。
【請求項３】
前記減圧装置は、
冷房運転時において、前記第１の減圧装置で第一冷媒を減圧し、
暖房運転時において、前記第２の減圧装置で第一冷媒を減圧する
ことを特徴とする請求の範囲第２項に記載の空調給湯システム。
【請求項４】
前記給湯用冷媒回路は、
第二冷媒を圧縮する給湯用圧縮機と、
給湯運転時に凝縮器として機能する給湯利用側熱交換器と、
第二冷媒を減圧する第三の減圧装置と、
第一冷媒の凝縮器として機能し、第二冷媒の蒸発器として機能する前記中間熱交換器と、を有する
ことを特徴とする請求の範囲第１項に記載の空調給湯システム。
【発明の詳細な説明】
【技術分野】
【０００１】
本発明は、空調と給湯を行う空調給湯システムに関する。
【背景技術】
【０００２】
空調と給湯を行う空調給湯システムとして、例えば特許文献１に示す技術が開示されている。
特許文献１には、第一圧縮機、第一の四方弁、室外熱交換器、第一電磁膨張弁及び室内熱交換器を接続してメインサイクルとし、第二圧縮機、第二の四方弁、第三の四方弁、給湯用熱交換器、補助熱交換器、第二電磁膨張弁及び第三電磁膨張弁を接続してサブサイクルとし、これらメインサイクルとサブサイクルとをカスケードコンデンサにより熱交換可能に連結して冷媒回路を構成することを特徴とする空気調和装置（空調給湯システム）が開示されている。
【先行技術文献】
【特許文献】
【０００３】
【特許文献１】特開２００５−２９９９３５号公報
【発明の概要】
【発明が解決しようとする課題】
【０００４】
特許文献１に記載の空気調和装置（空調給湯システム）は、冷房給湯運転時には、カスケードコンデンサの一次側（メインサイクルの側）を凝縮器として、二次側（サブサイクルの側）を蒸発器として機能させることにより、メインサイクルの排熱をサブサイクルに利用することができる（特許文献１の図５および図８参照）。【０００５】
しかしながら、特許文献１に記載の空気調和装置（空調給湯システム）は、メインサイクル（空調サイクル）の暖房運転時にカスケードコンデンサ（中間熱交換器）の一次側を凝縮器として機能させることができない。
このため、暖房給湯運転時には、特許文献１の図９に示すように、カスケードコンデンサ（中間熱交換器）に冷媒を通流させず、メインサイクル（空調サイクル）とサブサイクル（給湯サイクル）とを独立して機能させていた。【０００６】
そこで、本発明は、空調給湯システム全体の効率を向上させることができる空調給湯システムを提供することを課題とする。
【課題を解決するための手段】
【０００７】
このような課題を解決するために、請求の範囲第１項に係る発明は、第一冷媒が循環する空調用冷媒回路および第二冷媒が循環する給湯用冷媒回路を備える空調給湯システムであって、前記空調用冷媒回路は、第一冷媒を圧縮する空調用圧縮機と、冷房運転と暖房運転とで第一冷媒の流れ方向を切り替える空調用運転切替手段と、冷房運転時に凝縮器として機能し、暖房運転時に蒸発器として機能する空調熱源側熱交換器と、第一冷媒を減圧する減圧装置と、冷房運転時に蒸発器として機能し、暖房運転時に凝縮器として機能する空調利用側熱交換器と、前記第一冷媒と前記第二冷媒との熱交換する中間熱交換器と、を備え、前記空調用圧縮機と前記空調熱源側熱交換器との間で分岐して、分岐方向に流入する第一冷媒の流量を調整する第一分岐部と、前記空調用圧縮機と前記空調利用側熱交換器との間で分岐して、分岐方向に流入する第一冷媒の流量を調整する第二分岐部と、が形成され、前記中間熱交換器は、一端が第一分岐部および第二分岐部と接続し、他端が前記空調熱源側熱交換器と前記空調利用側熱交換器との間の合流部で接続し、冷房運転時および暖房運転時に凝縮器として機能することを特徴とする。
【発明の効果】
【０００８】
本発明によれば、空調給湯システム全体の効率を向上させることができる空調給湯システムを提供することができる。
【図面の簡単な説明】
【０００９】
【図１】本実施形態に係る空調給湯システムの系統図である。
【図２】本実施形態に係る空調給湯システムの運転モードの決定処理の手順を示すフローチャートである。
【図３】本実施形態に係る空調給湯システムの運転モードの決定処理の手順を示すフローチャートである。
【図４】空調排熱量および給湯吸熱量の推定処理の手順を示すフローチャートである。
【図５】単独総消費電力および余剰熱運転消費電力の推定処理の手順を示すフローチャートである。
【図６】給湯運転モードにおけるヒートポンプユニットの冷媒および被加熱液体の流れを示す系統図である。
【図７】冷房運転モードにおけるヒートポンプユニットの冷媒および熱搬送媒体の流れを示す系統図である。
【図８】暖房運転モードにおけるヒートポンプユニットの冷媒および熱搬送媒体の流れを示す系統図である。
【図９】冷房給湯運転（排熱回収Ａ）モードにおけるヒートポンプユニットの冷媒、熱搬送媒体および被加熱液体の流れを示す系統図である。
【図１０】冷房給湯運転（排熱回収Ｂ）モードにおけるヒートポンプユニットの冷媒、熱搬送媒体および被加熱液体の流れを示す系統図である。
【図１１】冷房給湯運転（排熱回収Ｃ）モードにおけるヒートポンプユニットの冷媒、熱搬送媒体および被加熱液体の流れを示す系統図である。
【図１２】暖房給湯運転（独立）モードにおけるヒートポンプユニットの冷媒、熱搬送媒体および被加熱液体の流れを示す系統図である。
【図１３】暖房給湯運転（空調余剰加熱）モードにおけるヒートポンプユニットの冷媒、熱搬送媒体および被加熱液体の流れを示す系統図である。
【図１４】東京における最寒日の前後日における暖房負荷の変動を示すグラフである。
【発明を実施するための形態】
【００１０】
以下、本発明を実施するための形態（以下「実施形態」という）について、適宜図面を参照しながら詳細に説明する。なお、各図において、共通する部分には同一の符号を付し重複した説明を省略する。
【００１１】
≪空調給湯システム≫
図１は、本実施形態に係る空調給湯システムＳの系統図である。
空調給湯システムＳは、室外（被空調空間外）に設置されるヒートポンプユニット１と、室内（被空調空間）に設置される室内ユニット２と、給湯タンクユニット３と、制御装置４と、を備えている。
空調給湯システムＳは、室内ユニット２が配置された室内を冷房する「冷房運転」と、室内ユニット２が配置された室内を暖房する「暖房運転」と、被加熱液体を加熱して給湯タンクユニット３（後述するタンク６２）に高温の被加熱液体を貯留する「給湯運転」と、冷房運転および給湯運転を行う「冷房給湯運転」と、暖房運転および給湯運転を行う「暖房給湯運転」と、を行う機能を有している。
【００１２】
空調給湯システムＳは、第一冷媒が循環する空調用冷媒回路１０と、第二冷媒が循環する給湯用冷媒回路４０と、熱搬送媒体が循環する空調用熱搬送媒体循環回路５０と、被加熱液体が通流する給湯回路６０と、を備えている。
【００１３】
＜空調用冷媒回路＞
ヒートポンプユニット１に設けられた空調用冷媒回路１０は、第一冷媒を圧縮して高圧の冷媒とする空調用圧縮機１１と、冷房運転と暖房運転とで第一冷媒の流れ方向を切り替える空調用四方弁１２と、空調用ファン１３ａにより送られてくる空気（室外空気）との熱交換を行う空調熱源側熱交換器１３と、第一冷媒を減圧する第一の減圧装置としての空調用主膨張弁１４と、熱搬送媒体との熱交換を行う空調利用側熱交換器１５の二次側伝熱管１５ｂと、を環状に配管で接続して構成されている。
なお、第一冷媒として、HFC、HFO-1234yf、HFO-1234ze、自然冷媒（例えば、ＣＯ２冷媒）などを用いることができる。
【００１４】
また、空調用冷媒回路１０は、空調熱源側熱交換器１３と空調用主膨張弁１４とを接続する回路上に、第一冷媒を減圧する第二の減圧装置としての空調用補助膨張弁１６が接続されている。
【００１５】
また、空調用冷媒回路１０は、第二冷媒との熱交換を行う中間熱交換器２１の一次側伝熱管２１ａが、空調熱源側熱交換器１３と並列に接続されている。中間熱交換器２１の一次側伝熱管２１ａの一端は、空調用四方弁１２と空調熱源側熱交換器１３とを接続する回路上に接続された第一空調制御三方弁２２と接続している。中間熱交換器２１の一次側伝熱管２１ａの他端は、第一空調制御弁２３を介して、空調用補助膨張弁１６と空調用主膨張弁１４とを接続する回路上に接続している。なお、以下の説明において、空調用補助膨張弁１６から延びた配管と、空調用主膨張弁１４から延びた配管と、中間熱交換器２１の一次側伝熱管２１ａの他端から延びた配管と、が接続する部分を、合流部２４とも称する。
第一空調制御三方弁２２は、通流する第一冷媒の流量比率を調整可能に構成された三方弁である。第一空調制御弁２３は、開閉が制御可能に構成された開閉弁である。
【００１６】
また、空調用冷媒回路１０は、第一冷媒が通流可能なバイパス回路３１が接続されている。バイパス回路３１の一端は、空調利用側熱交換器１５の二次側伝熱管１５ｂと空調用四方弁１２とを接続する回路上に接続された第二空調制御三方弁３２と接続している。バイパス回路３１の他端は、第二空調制御弁３３を介して、第一空調制御三方弁２２と中間熱交換器２１の一次側伝熱管２１ａとを接続する回路上に接続している。
第二空調制御三方弁３２は、通流する第一冷媒の流量比率を調整可能に構成された三方弁である。第二空調制御弁３３は、開閉が制御可能に構成された開閉弁である。
【００１７】
＜給湯用冷媒回路＞
ヒートポンプユニット１に設けられた給湯用冷媒回路４０は、第二冷媒を圧縮して高圧の冷媒とする給湯用圧縮機４１と、被加熱液体との熱交換を行う給湯利用側熱交換器４２の一次側伝熱管４２ａと、第二冷媒を減圧する減圧装置としての給湯用主膨張弁４３と、給湯用ファン４４ａにより送られてくる空気（室外空気）との熱交換を行う給湯熱源側熱交換器４４と、を環状に配管で接続して構成されている。
なお、第二冷媒として、HFC、HFO-1234yf、HFO-1234ze、自然冷媒（例えば、ＣＯ２冷媒）などを用いることができる。
【００１８】
また、給湯用冷媒回路４０は、第一冷媒との熱交換を行う中間熱交換器２１の二次側伝熱管２１ｂが、給湯熱源側熱交換器４４と並列に接続されている。中間熱交換器２１の二次側伝熱管２１ｂの一端は、給湯用主膨張弁４３と給湯熱源側熱交換器４４とを接続する回路上に接続された第一給湯制御三方弁４５と接続している。中間熱交換器２１の二次側伝熱管２１ｂの他端は、給湯熱源側熱交換器４４と給湯用圧縮機４１とを接続する回路上に接続された第二給湯制御三方弁４６と接続している。
第一給湯制御三方弁４５および第二給湯制御三方弁４６は、通流する第二冷媒の流量比率を調整可能に構成された三方弁である。
【００１９】
＜空調用熱搬送媒体循環回路＞
ヒートポンプユニット１から室内ユニット２に亘って設けられた空調用熱搬送媒体循環回路５０は、熱搬送媒体を送液する第一ポンプ５１と、冷房運転と暖房運転とで熱搬送媒体の流れ方向を切り替える熱搬送媒体四方弁５２と、第一冷媒との熱交換を行う空調利用側熱交換器１５の一次側伝熱管１５ａと、室内ファン５３ａにより送られてくる空気（室内空気）との熱交換を行う室内熱交換器５３と、を環状に配管で接続して構成されている。
なお、熱搬送媒体として、水や、エチレングリコールなどのブライン（不凍液）などを用いることができる。
【００２０】
＜給湯回路＞
ヒートポンプユニット１から給湯タンクユニット３に亘って設けられた給湯回路６０は、被加熱液体を送液する第二ポンプ６１と、第二冷媒との熱交換を行う給湯利用側熱交換器４２の二次側伝熱管４２ｂと、給湯タンクユニット３に配置され被加熱液体を貯留するタンク６２と、を環状に配管で接続して構成されている。
なお、以下の説明において、被加熱液体は水を用いるものとして説明する。
【００２１】
なお、給湯タンクユニット３は、タンク６２の下部と接続し、外部の給水源（例えば、上水道）に接続される給水金具６３と、タンク６２の上部と接続し、外部の給水端末（図示せず）に接続される給湯金具６４と、を備えている。
使用者が給水端末（図示せず）を開操作することにより、給水源から給水金具６３を介してタンク６２の下部に被加熱液体（水）が流入する。そして、タンク６２の上部に貯留された高温の被加熱液体（湯）が給湯金具６４を介して給水端末（図示せず）に供給されるようになっている。
【００２２】
＜制御装置＞
また、空調給湯システムＳは、制御装置４を備えている。
制御装置４は、空調給湯システムＳの運転モードを決定し、決定した運転モードに従って各種弁（第一空調制御弁２３、第二空調制御弁３３、第一空調制御三方弁２２、第二空調制御三方弁３２、第一給湯制御三方弁４５、第二給湯制御三方弁４６、空調用四方弁１２、熱搬送媒体四方弁５２、空調用主膨張弁１４、空調用補助膨張弁１６、給湯用主膨張弁４３）の状態（開度）、ポンプ（第一ポンプ５１、第二ポンプ６１）の回転速度、圧縮機（空調用圧縮機１１、給湯用圧縮機４１）の回転速度、各熱交換器のファン（空調用ファン１３ａ、給湯用ファン４４ａ、室内ファン５３ａ）の回転速度、を制御して、空調給湯システムＳの各種運転を制御する機能を有している。
【００２３】
（運転モードの決定処理）
制御装置４が実行する空調給湯システムＳの運転モードについて説明する。図２および図３は、本実施形態に係る空調給湯システムＳの運転モードの決定処理の手順を示すフローチャートである。
【００２４】
まず、図２を参照しつつ説明する。
ステップＳ１０１において、制御装置４は、空調サイクル運転要求が有るか否かを判定する。ここで、空調サイクル運転要求とは、室内ユニット２が設置された室内（被空調空間）を空調（冷房／暖房）する運転要求である。空調サイクル運転要求は、例えば、室内に設置されたリモコン（図示せず）を使用者が操作することにより制御装置４に入力されてもよく、室内の温度を検出する室内温度検出器（図示せず）の検出温度（室内温度）と室内設定温度とに基づいて決定されてもよい。
空調サイクル運転要求が有る場合（Ｓ１０１・Ｙｅｓ）、制御装置４の処理はステップＳ１０５に進む。空調サイクル運転要求がない場合（Ｓ１０１・Ｎｏ）、制御装置４の処理はステップＳ１０２に進む。
【００２５】
ステップＳ１０２において、制御装置４は、給湯サイクル運転要求が有るか否かを判定する。ここで、給湯サイクル運転要求とは、空調給湯システムＳの給湯運転を実行する要求である。給湯サイクル運転要求は、例えば、室内に設置されたリモコン（図示せず）を使用者が操作することにより制御装置４に入力されてもよく、給湯タンクユニット３のタンク６２に貯留された高温の被加熱液体の量が所定量以下となった場合に「給湯サイクル運転要求」としてもよく、所定の時間帯となった場合に「給湯サイクル運転要求」としてもよい。
給湯サイクル運転要求が有る場合（Ｓ１０２・Ｙｅｓ）、制御装置４の処理はステップＳ１０４に進む。給湯サイクル運転要求がない場合（Ｓ１０２・Ｎｏ）、制御装置４の処理はステップＳ１０３に進む。
【００２６】
ステップＳ１０３において、制御装置４は、空調給湯システムＳの運転モードを「待機モード」に決定する。なお、待機モードとは、空調給湯システムＳの空調運転（冷房運転／暖房運転）および給湯運転を停止して、運転指令の入力を待つモードである。
【００２７】
ステップＳ１０４において、制御装置４は、空調給湯システムＳの運転モードを「給湯運転モード」に決定する。なお、給湯運転モードとは、空調給湯システムＳの給湯運転を実行するモードである。この運転モードにおける空調給湯システムＳ（ヒートポンプユニット１）の動作は、図６を用いて後述する。
【００２８】
ステップＳ１０５において、制御装置４は、給湯サイクル運転要求が有るか否かを判定する。なお、ステップＳ１０５における給湯サイクル運転要求は、ステップＳ１０２における給湯サイクル運転要求と同様であり説明を省略する。
給湯サイクル運転要求が有る場合（Ｓ１０５・Ｙｅｓ）、制御装置４の処理はステップＳ１０９に進む。給湯サイクル運転要求がない場合（Ｓ１０５・Ｎｏ）、制御装置４の処理はステップＳ１０６に進む。
【００２９】
ステップＳ１０６において、制御装置４は、給湯サイクル運転要求が「冷房運転」であるか否かを判定する。
給湯サイクル運転要求が「冷房運転」である場合（Ｓ１０６・Ｙｅｓ）、制御装置４の処理はステップＳ１０７に進む。給湯サイクル運転要求が「冷房運転」でない場合（Ｓ１０６・Ｎｏ）、制御装置４の処理はステップＳ１０８に進む。
【００３０】
ステップＳ１０７において、制御装置４は、空調給湯システムＳの運転モードを「冷房運転モード」に決定する。なお、冷房運転モードとは、空調給湯システムＳの冷房運転を実行するモードである。この運転モードにおける空調給湯システムＳ（ヒートポンプユニット１）の動作は、図７を用いて後述する。
【００３１】
ステップＳ１０８において、制御装置４は、空調給湯システムＳの運転モードを「暖房運転モード」に決定する。なお、暖房運転モードとは、空調給湯システムＳの暖房運転を実行するモードである。この運転モードにおける空調給湯システムＳ（ヒートポンプユニット１）の動作は、図８を用いて後述する。
【００３２】
ステップＳ１０９において、制御装置４は、給湯サイクル運転要求が「冷房運転」であるか否かを判定する。
給湯サイクル運転要求が「冷房運転」である場合（Ｓ１０９・Ｙｅｓ）、制御装置４の処理はステップＳ１１０に進む。給湯サイクル運転要求が「冷房運転」でない場合（Ｓ１０９・Ｎｏ）、制御装置４の処理は図３のステップＳ２０１に進む。
【００３３】
ステップＳ１１０において、制御装置４は、空調排熱量Ｑac_exおよび給湯吸熱量Ｑec_exを推定する。ここで、空調排熱量Ｑac_exとは、空調用冷媒回路１０および給湯用冷媒回路４０を独立して運転した際の冷房運転に要する熱源への排熱量である。また、給湯吸熱量Ｑec_exとは、空調用冷媒回路１０および給湯用冷媒回路４０を独立して運転した際の給湯運転に要する熱源からの給熱量である。
なお、空調排熱量Ｑac_exおよび給湯吸熱量Ｑec_exの推定処理は、図４を用いて後述する。
【００３４】
ステップＳ１１１において、制御装置４は、空調排熱量Ｑac_exが給湯吸熱量Ｑec_exより大きいか否かを判定する。
空調排熱量Ｑac_exが給湯吸熱量Ｑec_exより大きい場合（Ｓ１１１・Ｙｅｓ）、制御装置４の処理はステップＳ１１２に進む。空調排熱量Ｑac_exが給湯吸熱量Ｑec_exより大きくない場合（Ｓ１１１・Ｎｏ）、制御装置４の処理はステップＳ１１３に進む。
【００３５】
ステップＳ１１２において、制御装置４は、空調給湯システムＳの運転モードを「冷房給湯運転（排熱回収Ａ）モード」に決定する。なお、冷房給湯運転（排熱回収Ａ）モードは、空調給湯システムＳの冷房運転および給湯運転を実行するモードの一種であり、空調用冷媒回路１０の排熱を給湯用冷媒回路４０で回収して運転する。この運転モードにおける空調給湯システムＳ（ヒートポンプユニット１）の動作は、図９を用いて後述する。
【００３６】
ステップＳ１１３において、制御装置４は、空調排熱量Ｑac_exが給湯吸熱量Ｑec_exと等しいか否かを判定する。
空調排熱量Ｑac_exが給湯吸熱量Ｑec_exと等しい場合（Ｓ１１３・Ｙｅｓ）、制御装置４の処理はステップＳ１１４に進む。空調排熱量Ｑac_exが給湯吸熱量Ｑec_exと等しくない場合（Ｓ１１３・Ｎｏ）、制御装置４の処理はステップＳ１１５に進む。
【００３７】
ステップＳ１１４において、制御装置４は、空調給湯システムＳの運転モードを「冷房給湯運転（排熱回収Ｂ）モード」に決定する。なお、冷房給湯運転（排熱回収Ｂ）モードは、空調給湯システムＳの冷房運転および給湯運転を実行するモードの一種であり、空調用冷媒回路１０の排熱を給湯用冷媒回路４０で回収して運転する。この運転モードにおける空調給湯システムＳ（ヒートポンプユニット１）の動作は、図１０を用いて後述する。
【００３８】
ステップＳ１１５において、制御装置４は、空調給湯システムＳの運転モードを「冷房給湯運転（排熱回収Ｃ）モード」に決定する。なお、冷房給湯運転（排熱回収Ｃ）モードは、空調給湯システムＳの冷房運転および給湯運転を実行するモードの一種であり、空調用冷媒回路１０の排熱を給湯用冷媒回路４０で回収して運転する。この運転モードにおける空調給湯システムＳ（ヒートポンプユニット１）の動作は、図１１を用いて後述する。
【００３９】
次に、ステップＳ１０９において、空調サイクル運転要求が「冷房運転」でない場合（Ｓ１０９・Ｎｏ）について、図３を用いて説明する。即ち、給湯サイクル運転要求が有り（Ｓ１０５・Ｙｅｓ参照）、空調サイクル運転要求が「暖房運転」である場合について説明する。
【００４０】
ステップＳ２０１において、制御装置４は、単独総消費電力Ｗsys1および余剰熱運転消費電力Ｗsys2を推定する。ここで、単独総消費電力Ｗsys1とは、空調給湯システムＳを暖房給湯運転（独立）モード（後述する図１２参照）で運転した場合の推定消費電力である。また、余剰熱運転消費電力Ｗsys2とは、空調給湯システムＳを暖房給湯運転（空調余剰加熱）モード（後述する図１３参照）で運転した場合の推定消費電力である。
なお、単独総消費電力Ｗsys1および余剰熱運転消費電力Ｗsys2の推定処理は、図５を用いて後述する。
【００４１】
ステップＳ２０２において、制御装置４は、単独総消費電力Ｗsys1が余剰熱運転消費電力Ｗsys2以下か否かを判定する。
単独総消費電力Ｗsys1が余剰熱運転消費電力Ｗsys2以下の場合（Ｓ２０２・Ｙｅｓ）、制御装置４の処理はステップＳ２０３に進む。単独総消費電力Ｗsys1が余剰熱運転消費電力Ｗsys2以下でない場合（Ｓ２０２・Ｎｏ）、制御装置４の処理はステップＳ２０４に進む。
【００４２】
ステップＳ２０３において、制御装置４は、空調給湯システムＳの運転モードを「暖房給湯運転（独立）モード」に決定する。なお、暖房給湯運転（独立）モードとは、空調給湯システムＳの暖房運転および給湯運転を実行するモードの一種であり、給湯用冷媒回路４０と空調用冷媒回路１０を独立して運転し、中間熱交換器２１を使用しない。この運転モードにおける空調給湯システムＳ（ヒートポンプユニット１）の動作は、図１２を用いて後述する。
【００４３】
ステップＳ２０４において、制御装置４は、空調給湯システムＳの運転モードを「暖房給湯運転（空調余剰加熱）モード」に決定する。なお、暖房給湯運転（空調余剰加熱）モードとは、空調給湯システムＳの暖房運転を実行し、空調用冷媒回路１０の余剰熱を給湯用冷媒回路４０で回収して給湯運転するモードである。この運転モードにおける空調給湯システムＳ（ヒートポンプユニット１）の動作は、図１３を用いて後述する。
【００４４】
（空調排熱量Ｑac_exおよび給湯吸熱量Ｑec_exの推定処理）
図４は、図２のステップＳ１１０における空調排熱量Ｑac_exおよび給湯吸熱量Ｑec_exの推定処理の手順を示すフローチャートである。
【００４５】
ステップＳ３０１において、制御装置４は、空調負荷Ｑacを推定する。なお、空調負荷Ｑacは、室外温度Ｔao、室内温度Ｔai、室内設定温度Ｔac_set、室内風量Ｖac_setに基づいて推定される。
室外温度Ｔaoは、例えば、ヒートポンプユニット１の空調用ファン１３ａまたは給湯用ファン４４ａの外気取入口に設けられた温度センサ（図示せず）で検出される。室内温度Ｔaiは、例えば、室内ユニット２の室内ファン５３ａの室内空気取入口に設けられた温度センサ（図示せず）で検出される。室内風量Ｖac_setは、例えば、室内ファン５３ａの回転速度を検出することにより風量（空気の流量）を算出する。もしくは、室内に設置されたリモコン(図示せず)で使用者が設定した設定風量から算出する。室内設定温度Ｔac_setは、例えば、室内に設置されたリモコン（図示せず）を使用者が操作することにより制御装置４に入力される。
【００４６】
ステップＳ３０２において、制御装置４は、空調消費電力Ｗacを推定する。なお、空調消費電力Ｗacは、ステップＳ３０１で推定した空調負荷Ｑac、室外温度Ｔao、室内設定温度Ｔac_setに基づいて推定される。
【００４７】
ステップＳ３０３において、制御装置４は、空調排熱量Ｑac_exを推定する。お、空調排熱量Ｑac_exは、ステップＳ３０１で推定した空調負荷Ｑac、ステップＳ３０２で推定した空調消費電力Ｗacに基づいて推定される。
【００４８】
ステップＳ３０４において、制御装置４は、給湯負荷Ｑecを推定する。なお、給湯負荷Ｑecは、室外温度Ｔao、給水温度Ｔwi、給湯温度Ｔwo、給水流量Ｖwに基づいて推定される。
給水温度Ｔwiは、例えば、ヒートポンプユニット１の給湯利用側熱交換器４２の二次側伝熱管４２ｂの入口側に設けられた温度センサ（図示せず）で検出される。給湯温度Ｔwo、は、ヒートポンプユニット１で沸き上げる湯（被加熱液体）の設定温度であり、例えば、室内に設置されたリモコン（図示せず）を使用者が操作することにより制御装置４に入力される。給水流量Ｖwは、例えば、ヒートポンプユニット１の第二ポンプ６１の回転速度を検出することにより算出する。
【００４９】
ステップＳ３０５において、制御装置４は、給湯消費電力Ｗecを推定する。なお、給湯消費電力Ｗecは、ステップＳ３０４で推定した給湯負荷Ｑec、室外温度Ｔao、給湯温度Ｔwoに基づいて推定される。
【００５０】
ステップＳ３０６において、制御装置４は、給湯吸熱量Ｑec_exを推定する。なお、給湯吸熱量Ｑec_exは、ステップＳ３０４で推定した給湯負荷Ｑec、ステップＳ３０５で推定した給湯消費電力Ｗecに基づいて推定される。
【００５１】
このように、制御装置４は、空調排熱量Ｑac_exを推定し（Ｓ３０３参照）、給湯吸熱量Ｑec_exを推定して（Ｓ３０６参照）、制御装置４の処理は図２のステップＳ１１０を終了し、ステップＳ１１１に進む。
【００５２】
（単独総消費電力Ｗsys1および余剰熱運転消費電力Ｗsys2の推定処理）
図５は、図３のステップＳ２０１における単独総消費電力Ｗsys1および余剰熱運転消費電力Ｗsys2の推定処理の手順を示すフローチャートである。
【００５３】
ステップＳ４０１において、制御装置４は、空調負荷Ｑacを推定する。なお、空調負荷Ｑacは、室外温度Ｔao、室内温度Ｔai、室内設定温度Ｔac_set、室内風量Ｖac_setに基づいて推定される。
【００５４】
ステップＳ４０２において、制御装置４は、空調用圧縮機目標回転速度Ｎcp_acを推定する。なお、空調用圧縮機目標回転速度Ｎcp_acは、ステップＳ４０１で推定した空調負荷Ｑac、室外温度Ｔao、室内設定温度Ｔac_set、室内風量Ｖac_setに基づいて推定される。
【００５５】
ステップＳ４０３において、制御装置４は、ステップＳ４０２で推定した空調用圧縮機目標回転速度Ｎcp_acが空調用圧縮機最低回転速度Ｎcp_acmin以上であるか否かを判定する。
ここで、空調用圧縮機最低回転速度Ｎcp_acminとは、空調用冷媒回路１０の空調用圧縮機１１が運転制御可能な回転速度の下限である。
空調用圧縮機目標回転速度Ｎcp_acが空調用圧縮機最低回転速度Ｎcp_acmin以上である場合（Ｓ４０３・Ｙｅｓ）、制御装置４の処理はステップＳ４０４に進む。空調用圧縮機目標回転速度Ｎcp_acが空調用圧縮機最低回転速度Ｎcp_acmin以上でない場合（Ｓ４０３・Ｎｏ）、制御装置４の処理はステップＳ４０９に進む。
【００５６】
ステップＳ４０４において、制御装置４は、空調消費電力Ｗacを推定する。なお、空調消費電力Ｗacは、ステップＳ４０１で推定した空調負荷Ｑac、室外温度Ｔao、室内設定温度Ｔac_setに基づいて推定される。
【００５７】
ステップＳ４０５において、制御装置４は、給湯負荷Ｑecを推定する。なお、給湯負荷Ｑecは、室外温度Ｔao、給水温度Ｔwi、給湯温度Ｔwo、給水流量Ｖwに基づいて推定される。
【００５８】
ステップＳ４０６において、制御装置４は、給湯消費電力Ｗecを推定する。なお、給湯消費電力Ｗecは、ステップＳ４０５で推定した給湯負荷Ｑec、室外温度Ｔao、給湯温度Ｔwoに基づいて推定される。
【００５９】
ステップＳ４０７において、制御装置４は、単独総消費電力Ｗsys1を推定する。なお、単独総消費電力Ｗsys1は、ステップＳ４０４で推定した空調消費電力ＷacとステップＳ４０６で推定した給湯消費電力Ｗecとを加算して（即ち、Ｗsys1＝Ｗac＋Ｗec）推定する。
【００６０】
ステップＳ４０８において、制御装置４は、余剰熱運転消費電力Ｗsys2を推定する。なお、本実施形態では、（Ｗsys2＝Ｗsys1）として推定する。
このように、制御装置４は、単独総消費電力Ｗsys1を推定し（Ｓ４０７参照）、余剰熱運転消費電力Ｗsys2を推定して（Ｓ４０８参照）、制御装置４の処理は図３のステップＳ２０１を終了し、ステップＳ２０２に進む。
【００６１】
次に、ステップＳ４０３において、空調用圧縮機回転速度Ｎcp_acが空調用圧縮機最低回転速度Ｎcp_acmin以上でない場合（Ｓ４０３・Ｎｏ）について、説明する。
空調用圧縮機１１は、空調用圧縮機最低回転速度Ｎcp_acmin未満の回転速度で運転することができないため、空調負荷Ｑacから推定された空調用圧縮機目標回転速度Ｎcp_acが、空調用圧縮機最低回転速度Ｎcp_acmin未満となった場合、圧縮機回転数はＮcp_acminで回転する事になる。このため、実際に出力される空調能力は、Ｎcp_acmin／Ｎcp_ac分だけ空調負荷Ｑacよりも大きくなるため、制御装置４は空調用圧縮機１１の運転と停止を繰り返す断続運転となる。このため、空調給湯システムＳの効率が悪化する。
【００６２】
ステップＳ４０９において、制御装置４は、断続運転時の空調消費電力悪化率εを推定する。そして、断続運転を考慮した空調消費電力Ｗac1を推定する。なお、空調消費電力悪化率εは、空調用圧縮機目標回転速度Ｎcp_ac、空調用圧縮機最低回転速度Ｎcp_acminに基づいて推定される。また、断続運転を考慮した空調消費電力Ｗac1は、ステップＳ４０１で推定した空調負荷Ｑac、室外温度Ｔao、室内設定温度Ｔac_set、空調消費電力悪化率εに基づいて推定される。
【００６３】
ステップＳ４１０において、制御装置４は、給湯負荷Ｑecを推定する。なお、給湯負荷Ｑecは、室外温度Ｔao、給水温度Ｔwi、給湯温度Ｔwo、給水流量Ｖwに基づいて推定される。
【００６４】
ステップＳ４１１において、制御装置４は、給湯消費電力Ｗecを推定する。なお、給湯消費電力Ｗecは、ステップＳ３０４で推定した給湯負荷Ｑec、室外温度Ｔao、給湯温度Ｔwoに基づいて推定される。
【００６５】
ステップＳ４１２において、制御装置４は、単独総消費電力Ｗsys1を推定する。なお、単独総消費電力Ｗsys1は、ステップＳ４０９で推定した断続運転を考慮した空調消費電力Ｗac1とステップＳ４１１で推定した給湯消費電力Ｗecとを加算して（即ち、Ｗsys＝Ｗac1＋Ｗec）推定する。
【００６６】
ステップＳ４１３において、制御装置４は、空調擬似負荷Ｑac_ecを推定する。なお、空調擬似負荷Ｑac_ecは、室外温度Ｔao、給水温度Ｔwi、給湯温度Ｔwo、給水流量Ｖwに基づいて推定される。
ここで、空調給湯システムＳを暖房給湯運転（空調余剰加熱）モード（後述する図１３参照）で運転制御する場合において、空調用冷媒回路１０の空調利用側熱交換器１５を凝縮器として機能させるとともに、空調用冷媒回路１０の中間熱交換器２１も凝縮器として機能させる。
このため、給湯用冷媒回路４０の中間熱交換器２１における給湯吸熱量を、空調用冷媒回路１０の中間熱交換器２１における空調擬似負荷Ｑac_ecとして、空調擬似負荷Ｑac_ecを推定する。
【００６７】
ステップＳ４１４において、制御装置４は、空調擬似負荷Ｑac_ecを考慮した空調負荷Ｑac2を推定する。なお、擬似負荷を考慮した空調負荷Ｑac2は、ステップＳ４０１で推定した空調負荷ＱacとステップＳ４１３で推定した空調擬似負荷Ｑac_ecとを加算して（即ち、Ｑac2＝Ｑac＋Ｑac_ec）推定する。
【００６８】
ステップＳ４１５において、制御装置４は、擬似負荷を考慮した空調消費電力Ｗac2を推定する。なお、空調消費電力Ｗac2は、ステップＳ４１４で推定した擬似負荷を考慮した空調負荷Ｑac2、室外温度Ｔao、室内設定温度Ｔac_setに基づいて推定される。
【００６９】
ステップＳ４１６において、制御装置４は、擬似負荷を考慮した給湯消費電力Ｗec2を推定する。なお、給湯消費電力Ｗec2は、ステップＳ４１４で推定した擬似負荷を考慮した空調負荷Ｑac2、ステップＳ４１０で推定した給湯負荷Ｑec、室外温度Ｔao、給湯温度Ｔwo、室内設定温度Ｔac_setに基づいて推定される。
【００７０】
ステップＳ４１７において、制御装置４は、余剰熱運転消費電力Ｗsys2を推定する。なお、余剰熱運転消費電力Ｗsys2は、ステップＳ４１５で推定した擬似負荷を考慮した空調システム消費電力Ｗac2とステップＳ４１６で推定した擬似負荷を考慮した給湯システム消費電力Ｗec2とを加算して（即ち、Ｗsys2＝Ｗac2＋Ｗec2）推定する。
【００７１】
このように、制御装置４は、単独総消費電力Ｗsys1を推定し（Ｓ４０７，Ｓ４１２参照）、余剰熱運転消費電力Ｗsys2を推定して（Ｓ４０８，Ｓ４１７参照）、制御装置４の処理は図３のステップＳ２０１を終了し、ステップＳ２０２に進む。
【００７２】
（各運転モードの制御処理）
制御装置４は、空調給湯システムＳの運転モードを決定し（図２，図３参照）、決定した運転モードに従って空調給湯システムＳを制御して各種運転を行う。制御装置４が実行する空調給湯システムＳの各運転モードについて、図６から図１３を用いて説明する。
なお、以下に説明する図６から図１３において、第一冷媒、第二冷媒、熱搬送媒体、被加熱液体が通流している配管を太線で示し、流れ方向を矢印で示すものとする。また、各制御弁（第一空調制御弁２３、第二空調制御弁３３、第一空調制御三方弁２２、第二空調制御三方弁３２、第一給湯制御三方弁４５、第二給湯制御三方弁４６、空調用補助膨張弁１６）について、通流を閉止している側を黒塗りで図示するものとする。
【００７３】
（運転モード０．待機モード：ステップＳ１０３）
このモードにおいて、空調用冷媒回路１０、給湯用冷媒回路４０、空調用熱搬送媒体循環回路５０および給湯回路６０は停止している。制御装置４は、運転指令の入力を待つ。運転指令が入力された場合には、空調給湯システムＳの運転モードを決定する（図２，図３参照）。
【００７４】
（運転モード１．給湯運転モード：ステップＳ１０４）
図６は、給湯運転モードにおけるヒートポンプユニット１の冷媒および被加熱液体の流れを示す系統図である。
このモードにおいて、空調用冷媒回路１０および空調用熱搬送媒体循環回路５０は停止している。また、中間熱交換器２１への冷媒の通流は、空調用冷媒回路１０・給湯用冷媒回路４０とも閉止している。
【００７５】
給湯用冷媒回路４０について説明する。制御装置４は、給湯用主膨張弁４３と給湯熱源側熱交換器４４との間を第二冷媒が通流可能なように、中間熱交換器２１と接続する側が閉塞するように第一給湯制御三方弁４５を制御する。また、制御装置４は、給湯熱源側熱交換器４４と給湯用圧縮機４１との間を第二冷媒が通流可能なように、中間熱交換器２１と接続する側が閉塞するように第二給湯制御三方弁４６を制御する。また、制御装置４は、給湯用主膨張弁４３の開度（絞り）を制御する。また、制御装置４は、給湯用圧縮機４１および給湯用ファン４４ａの回転速度を制御する。
【００７６】
給湯用圧縮機４１から吐出された高温高圧の第二冷媒は、凝縮器として機能する給湯利用側熱交換器４２の一次側伝熱管４２ａに流入する。給湯利用側熱交換器４２の一次側伝熱管４２ａを通流する第二冷媒は、給湯利用側熱交換器４２の二次側伝熱管４２ｂを通流する被加熱液体と熱交換することにより放熱して、中温高圧の第二冷媒となる。給湯利用側熱交換器４２の一次側伝熱管４２ａから流出した中温高圧の第二冷媒は、給湯用主膨張弁４３で減圧され、低温低圧の第二冷媒となる。
そして、低温低圧の第二冷媒は、蒸発器として機能する給湯熱源側熱交換器４４に流入する。給湯熱源側熱交換器４４を通流する第二冷媒は、給湯用ファン４４ａにより送られてくる空気（室外空気）と熱交換することにより空気（室外空気）から熱を汲み上げる（吸熱する）。そして、吸熱した第二冷媒は、給湯熱源側熱交換器４４から給湯用圧縮機４１へと送られ、給湯用冷媒回路４０を循環する。
【００７７】
次に、給湯回路６０について説明する。制御装置４は、第二ポンプ６１の回転速度を制御する。
第二ポンプ６１を駆動させることにより、タンク６２の下部から流出した被加熱液体は給湯利用側熱交換器４２の二次側伝熱管４２ｂに流入する。給湯利用側熱交換器４２の二次側伝熱管４２ｂを通流する被加熱液体は、給湯利用側熱交換器４２の一次側伝熱管４２ａを通流する第二冷媒と熱交換することにより吸熱して高温の被加熱液体となる。そして、高温の被加熱液体は、給湯利用側熱交換器４２の二次側伝熱管４２ｂからタンク６２の上部に戻され、高温の被加熱液体が貯留される。
【００７８】
（運転モード２．冷房運転モード：ステップＳ１０７）
図７は、冷房運転モードにおけるヒートポンプユニット１の冷媒および熱搬送媒体の流れを示す系統図である。
このモードにおいて、給湯用冷媒回路４０および給湯回路６０は停止している。また、中間熱交換器２１への冷媒の通流は、空調用冷媒回路１０・給湯用冷媒回路４０とも閉止している。
【００７９】
空調用冷媒回路１０について説明する。制御装置４は、空調用四方弁１２を冷房運転の位置となるように制御する。また、制御装置４は、空調用圧縮機１１と空調熱源側熱交換器１３との間を第一冷媒が通流可能なように、中間熱交換器２１と接続する側が閉塞するように第一空調制御三方弁２２を制御する。また、制御装置４は、空調利用側熱交換器１５と空調用圧縮機１１との間を第一冷媒が通流可能なように、バイパス回路３１と接続する側が閉塞するように第二空調制御三方弁３２を制御する。また、制御装置４は、第一空調制御弁２３および第二空調制御弁３３を閉弁するように制御し、空調用補助膨張弁１６の開度を全開となるように制御する。また、制御装置４は、空調用主膨張弁１４の開度（絞り）を制御する。また、制御装置４は、空調用圧縮機１１および空調用ファン１３ａの回転速度を制御する。
【００８０】
空調用圧縮機１１から吐出された高温高圧の第一冷媒は、凝縮器として機能する空調熱源側熱交換器１３に流入する。空調熱源側熱交換器１３を通流する第一冷媒は、空調用ファン１３ａにより送られてくる空気（室外空気）と熱交換することにより放熱（排熱）して、中温高圧の第一冷媒となる。空調熱源側熱交換器１３から流出した中温高圧の第一冷媒は、空調用主膨張弁１４で減圧され、低温低圧の第一冷媒となる。
そして、低温低圧の第一冷媒は、蒸発器として機能する空調利用側熱交換器１５の二次側伝熱管１５ｂに流入する。空調利用側熱交換器１５の二次側伝熱管１５ｂを通流する第一冷媒は、空調利用側熱交換器１５の一次側伝熱管１５ａを通流する熱搬送媒体と熱交換することにより熱搬送媒体から熱を汲み上げる（吸熱する）。そして、吸熱した第一冷媒は、空調利用側熱交換器１５から空調用圧縮機１１へと送られ、空調用冷媒回路１０を循環する。
【００８１】
次に、空調用熱搬送媒体循環回路５０について説明する。制御装置４は、第一ポンプ５１および室内ファン５３ａの回転速度を制御する。また、制御装置４は、空調利用側熱交換器１５の一次側伝熱管１５ａを通流する熱搬送媒体と空調利用側熱交換器１５の二次側伝熱管１５ｂを通流する第一冷媒とが対向流となるように熱搬送媒体四方弁５２を制御する。
【００８２】
第一ポンプ５１を駆動させることにより、熱搬送媒体は空調利用側熱交換器１５の一次側伝熱管１５ａに流入する。空調利用側熱交換器１５の一次側伝熱管１５ａを通流する熱搬送媒体は、空調利用側熱交換器１５の二次側伝熱管１５ｂを通流する第一冷媒と熱交換することにより放熱して、冷温の熱搬送媒体となる。
そして、低温の熱搬送媒体は、室内ユニット２の室内熱交換器５３に流入する。室内熱交換器５３を通流する熱搬送媒体は、室内ファン５３ａにより送られてくる空気（室内空気）と熱交換することにより吸熱する。そして、吸熱した熱搬送媒体は、室内熱交換器５３から第一ポンプ５１へと送られ、空調用熱搬送媒体循環回路５０を循環する。
このように、室内ユニット２の室内熱交換器５３で熱搬送媒体が吸熱することにより、空気（室内空気）が冷却され、室内（被空調空間）が冷房される。
【００８３】
（運転モード３．暖房運転モード：ステップＳ１０８）
図８は、暖房運転モードにおけるヒートポンプユニット１の冷媒および熱搬送媒体の流れを示す系統図である。
このモードにおいて、給湯用冷媒回路４０および給湯回路６０は停止している。また、中間熱交換器２１への冷媒の通流は、空調用冷媒回路１０・給湯用冷媒回路４０とも閉止している。
【００８４】
空調用冷媒回路１０について説明する。制御装置４は、空調用四方弁１２を暖房運転の位置となるように制御する。また、制御装置４は、空調用圧縮機１１と空調熱源側熱交換器１３との間を第一冷媒が通流可能なように、中間熱交換器２１と接続する側が閉塞するように第一空調制御三方弁２２を制御する。また、制御装置４は、空調利用側熱交換器１５と空調用圧縮機１１との間を第一冷媒が通流可能なように、バイパス回路３１と接続する側が閉塞するように第二空調制御三方弁３２を制御する。また、制御装置４は、第一空調制御弁２３および第二空調制御弁３３を閉弁するように制御し、空調用主膨張弁１４の開度を全開となるように制御する。また、制御装置４は、空調用補助膨張弁１６の開度（絞り）を制御する。また、制御装置４は、空調用圧縮機１１および空調用ファン１３ａの回転速度を制御する。
【００８５】
空調用圧縮機１１から吐出された高温高圧の第一冷媒は、凝縮器として機能する空調利用側熱交換器１５の二次側伝熱管１５ｂに流入する。空調利用側熱交換器１５の二次側伝熱管１５ｂを通流する第一冷媒は、空調利用側熱交換器１５の一次側伝熱管１５ａを通流する熱搬送媒体と熱交換することにより放熱して、中温高圧の第一冷媒となる。空調利用側熱交換器１５から流出した中温高圧の第一冷媒は、空調用補助膨張弁１６で減圧され、低温低圧の第一冷媒となる。
そして、低温低圧の第一冷媒は、蒸発器として機能する空調熱源側熱交換器１３に流入する。空調熱源側熱交換器１３を通流する第一冷媒は、空調用ファン１３ａにより送られてくる空気（室外空気）と熱交換することにより空気（室外空気）から熱を汲み上げる（吸熱する）。そして、吸熱した第一冷媒は、空調熱源側熱交換器１３から空調用圧縮機１１へと送られ、空調用冷媒回路１０を循環する。
【００８６】
次に、空調用熱搬送媒体循環回路５０について説明する。制御装置４は、第一ポンプ５１および室内ファン５３ａの回転速度を制御する。また、制御装置４は、空調利用側熱交換器１５の一次側伝熱管１５ａを通流する熱搬送媒体と空調利用側熱交換器１５の二次側伝熱管１５ｂを通流する第一冷媒とが対向流となるように熱搬送媒体四方弁５２を制御する。
【００８７】
第一ポンプ５１を駆動させることにより、熱搬送媒体は空調利用側熱交換器１５の一次側伝熱管１５ａに流入する。空調利用側熱交換器１５の一次側伝熱管１５ａを通流する熱搬送媒体は、空調利用側熱交換器１５の二次側伝熱管１５ｂを通流する第一冷媒と熱交換することにより吸熱して、高温の熱搬送媒体となる。
そして、高温の熱搬送媒体は、室内ユニット２の室内熱交換器５３に流入する。室内熱交換器５３を通流する熱搬送媒体は、室内ファン５３ａにより送られてくる空気（室内空気）と熱交換することにより放熱する。そして、放熱した熱搬送媒体は、室内熱交換器５３から第一ポンプ５１へと送られ、空調用熱搬送媒体循環回路５０を循環する。
このように、室内ユニット２の室内熱交換器５３で熱搬送媒体が放熱することにより、空気（室内空気）が加熱され、室内（被空調空間）が暖房される。
【００８８】
（運転モード４−１．冷房給湯運転（排熱回収Ａ）モード：ステップＳ１１２）
図９は、冷房給湯運転（排熱回収Ａ）モードにおけるヒートポンプユニット１の冷媒、熱搬送媒体および被加熱液体の流れを示す系統図である。
ここで、排熱回収Ａは「空調排熱＞給湯吸熱」の場合であり、中間熱交換器２１を介して空調用冷媒回路１０の排熱を給湯用冷媒回路４０で回収し、余分な空調排熱を室外空気に排熱している。
給湯回路６０の動作は、図６に示す給湯運転モードと同様であり説明を省略する。
空調用熱搬送媒体循環回路５０の動作は、図７に示す冷房運転モードと同様であり説明を省略する。
【００８９】
空調用冷媒回路１０について説明する。冷房運転モード（図７参照）における空調用冷媒回路１０と、冷房給湯運転（排熱回収Ａ）モード（図９参照）における空調用冷媒回路１０との差異点は、冷房運転モード（図７参照）では第一冷媒が空調熱源側熱交換器１３を通流するのに対し、冷房給湯運転（排熱回収Ａ）モード（図９参照）では第一冷媒が中間熱交換器２１の一次側伝熱管２１ａおよび空調熱源側熱交換器１３を通流する点で異なる。
即ち、制御装置４は、空調用圧縮機１１と中間熱交換器２１との間を第一冷媒が通流可能なように、空調用圧縮機１１と空調熱源側熱交換器１３との間を第一冷媒が通流可能なように開弁し、空調用圧縮機１１から中間熱交換器２１または空調熱源側熱交換器１３への開度（通流する第一冷媒の流量比率）を制御する。また、制御装置４は、第一空調制御弁２３を開弁するように制御する。その他の制御は冷房運転モード（図７参照）における空調用冷媒回路１０と同様であり説明を省略する。
【００９０】
空調用圧縮機１１から吐出された高温高圧の第一冷媒は、第一空調制御三方弁２２で分岐して一部が凝縮器として機能する中間熱交換器２１の一次側伝熱管２１ａに流入する。中間熱交換器２１の一次側伝熱管２１ａを通流する第一冷媒は、中間熱交換器２１の二次側伝熱管２１ｂを通流する第二冷媒と熱交換することにより放熱して、中温高圧の第一冷媒となる。また、第一空調制御三方弁２２で分岐した残部の高温高圧の第一冷媒は、凝縮器として機能する空調熱源側熱交換器１３に流入する。空調熱源側熱交換器１３を通流する第一冷媒は、空調用ファン１３ａにより送られてくる空気（室外空気）と熱交換することにより放熱（排熱）して、中温高圧の第一冷媒となる。中間熱交換器２１の一次側伝熱管２１ａから流出した中温高圧の第一冷媒および空調熱源側熱交換器１３から流出した中温高圧の第一冷媒は、空調用主膨張弁１４で減圧され、低温低圧の第一冷媒となる。
そして、低温低圧の第一冷媒は、蒸発器として機能する空調利用側熱交換器１５の二次側伝熱管１５ｂに流入する。空調利用側熱交換器１５の二次側伝熱管１５ｂを通流する第一冷媒は、空調利用側熱交換器１５の一次側伝熱管１５ａを通流する熱搬送媒体と熱交換することにより熱搬送媒体から熱を汲み上げる（吸熱する）。そして、吸熱した第一冷媒は、空調利用側熱交換器１５から空調用圧縮機１１へと送られ、空調用冷媒回路１０を循環する。
【００９１】
次に、給湯用冷媒回路４０について説明する。給湯運転モード（図６参照）における給湯用冷媒回路４０と、冷房給湯運転（排熱回収Ａ）モード（図９参照）における給湯用冷媒回路４０との差異点は、給湯運転モード（図６参照）では第二冷媒が給湯熱源側熱交換器４４を通流するのに対し、冷房給湯運転（排熱回収Ａ）モード（図９参照）では第二冷媒が中間熱交換器２１の二次側伝熱管２１ｂを通流する点で異なる。
即ち、制御装置４は、給湯用主膨張弁４３と中間熱交換器２１との間を第二冷媒が通流可能なように、給湯熱源側熱交換器４４と接続する側が閉塞するように第一給湯制御三方弁４５を制御する。また、制御装置４は、中間熱交換器２１と給湯用圧縮機４１との間を第二冷媒が通流可能なように、給湯熱源側熱交換器４４と接続する側が閉塞するように第二給湯制御三方弁４６を制御する。また、制御装置４は、給湯用ファン４４ａを停止させる。その他の制御は給湯運転モード（図６参照）における給湯用冷媒回路４０と同様であり説明を省略する。
【００９２】
給湯用圧縮機４１から吐出された高温高圧の第二冷媒は、凝縮器として機能する給湯利用側熱交換器４２の一次側伝熱管４２ａに流入する。給湯利用側熱交換器４２の一次側伝熱管４２ａを通流する第二冷媒は、給湯利用側熱交換器４２の二次側伝熱管４２ｂを通流する被加熱液体と熱交換することにより放熱して、中温高圧の第二冷媒となる。給湯利用側熱交換器４２の一次側伝熱管４２ａから流出した中温高圧の第二冷媒は、給湯用主膨張弁４３で減圧され、低温低圧の第二冷媒となる。
そして、低温低圧の第二冷媒は、蒸発器として機能する中間熱交換器２１の二次側伝熱管２１ｂに流入する。中間熱交換器２１の二次側伝熱管２１ｂを通流する第二冷媒は、中間熱交換器２１の一次側伝熱管２１ａを通流する第一冷媒と熱交換することにより第一冷媒から熱を汲み上げる（吸熱する）。そして、吸熱した第二冷媒は、中間熱交換器２１の二次側伝熱管２１ｂから給湯用圧縮機４１へと送られ、給湯用冷媒回路４０を循環する。
【００９３】
（運転モード４−２．冷房給湯運転（排熱回収Ｂ）モード：ステップＳ１１４）
図１０は、冷房給湯運転（排熱回収Ｂ）モードにおけるヒートポンプユニット１の冷媒、熱搬送媒体および被加熱液体の流れを示す系統図である。
ここで、排熱回収Ｂは「空調排熱＝給湯吸熱」の場合であり、中間熱交換器２１を介して空調用冷媒回路１０の排熱を給湯用冷媒回路４０で回収している。
給湯回路６０の動作は、図６に示す給湯運転モードと同様であり説明を省略する。
空調用熱搬送媒体循環回路５０の動作は、図７に示す冷房運転モードと同様であり説明を省略する。
給湯用冷媒回路４０の動作は、図９に示す冷房給湯運転（排熱回収Ａ）モードと同様であり説明を省略する。
【００９４】
空調用冷媒回路１０について説明する。冷房運転モード（図７参照）における空調用冷媒回路１０と、冷房給湯運転（排熱回収Ｂ）モード（図１０参照）における空調用冷媒回路１０との差異点は、冷房運転モード（図７参照）では第一冷媒が空調熱源側熱交換器１３を通流するのに対し、冷房給湯運転（排熱回収Ｂ）モード（図１０参照）では第一冷媒が中間熱交換器２１の一次側伝熱管２１ａを通流する点で異なる。
即ち、制御装置４は、空調用圧縮機１１と中間熱交換器２１との間を第一冷媒が通流可能なように、空調熱源側熱交換器１３と接続する側が閉塞するように第一空調制御三方弁２２を制御する。また、制御装置４は、第一空調制御弁２３を開弁するように制御し、空調用補助膨張弁１６の開度を全閉となるように制御する。また、制御装置４は、空調用ファン１３ａを停止させる。その他の制御は冷房運転モード（図７参照）における空調用冷媒回路１０と同様であり説明を省略する。
【００９５】
空調用圧縮機１１から吐出された高温高圧の第一冷媒は、凝縮器として機能する中間熱交換器２１の一次側伝熱管２１ａに流入する。中間熱交換器２１の一次側伝熱管２１ａを通流する第一冷媒は、中間熱交換器２１の二次側伝熱管２１ｂを通流する第二冷媒と熱交換することにより放熱して、中温高圧の第一冷媒となる。中間熱交換器２１の一次側伝熱管２１ａから流出した中温高圧の第一冷媒は、空調用主膨張弁１４で減圧され、低温低圧の第一冷媒となる。
そして、低温低圧の第一冷媒は、蒸発器として機能する空調利用側熱交換器１５の二次側伝熱管１５ｂに流入する。空調利用側熱交換器１５の二次側伝熱管１５ｂを通流する第一冷媒は、空調利用側熱交換器１５の一次側伝熱管１５ａを通流する熱搬送媒体と熱交換することにより熱搬送媒体から熱を汲み上げる（吸熱する）。そして、吸熱した第一冷媒は、空調利用側熱交換器１５から空調用圧縮機１１へと送られ、空調用冷媒回路１０を循環する。
【００９６】
（運転モード４−３．冷房給湯運転（排熱回収Ｃ）モード：ステップＳ１１５）
図１１は、冷房給湯運転（排熱回収Ｃ）モードにおけるヒートポンプユニット１の冷媒、熱搬送媒体および被加熱液体の流れを示す系統図である。
ここで、排熱回収Ｃは「空調排熱＜給湯吸熱」の場合であり、中間熱交換器２１を介して空調用冷媒回路１０の排熱を給湯用冷媒回路４０で回収し、給湯吸熱の不足分を室外空気から吸熱している。
給湯回路６０の動作は、図６に示す給湯運転モードと同様であり説明を省略する。
空調用熱搬送媒体循環回路５０の動作は、図７に示す冷房運転モードと同様であり説明を省略する。
空調用冷媒回路１０の動作は、図１０に示す冷房給湯運転（排熱回収Ｂ）モードと同様であり説明を省略する。
【００９７】
次に、給湯用冷媒回路４０について説明する。給湯運転モード（図６参照）における給湯用冷媒回路４０と、冷房給湯運転（排熱回収Ｃ）モード（図１１参照）における給湯用冷媒回路４０との差異点は、給湯運転モード（図６参照）では第二冷媒が給湯熱源側熱交換器４４を通流するのに対し、冷房給湯運転（排熱回収Ｃ）モード（図１１参照）では第二冷媒が中間熱交換器２１の二次側伝熱管２１ｂおよび給湯熱源側熱交換器４４を通流する点で異なる。
即ち、制御装置４は、給湯用主膨張弁４３と中間熱交換器２１との間を第二冷媒が通流可能なように、給湯用主膨張弁４３と給湯熱源側熱交換器４４との間を第二冷媒が通流可能なように開弁し、給湯用主膨張弁４３から中間熱交換器２１または給湯熱源側熱交換器４４への開度（通流する第二冷媒の流量比率）を制御する。また、制御装置４は、中間熱交換器２１と給湯用圧縮機４１との間を第二冷媒が通流可能なように、給湯熱源側熱交換器４４と給湯用圧縮機４１との間を第二冷媒が通流可能なように開弁し、中間熱交換器２１または給湯熱源側熱交換器４４から給湯用圧縮機４１への開度（通流する第二冷媒の流量）を制御する。その他の制御は給湯運転モード（図６参照）における給湯用冷媒回路４０と同様であり説明を省略する。
【００９８】
給湯用圧縮機４１から吐出された高温高圧の第二冷媒は、凝縮器として機能する給湯利用側熱交換器４２の一次側伝熱管４２ａに流入する。給湯利用側熱交換器４２の一次側伝熱管４２ａを通流する第二冷媒は、給湯利用側熱交換器４２の二次側伝熱管４２ｂを通流する被加熱液体と熱交換することにより放熱して、中温高圧の第二冷媒となる。給湯利用側熱交換器４２の一次側伝熱管４２ａから流出した中温高圧の第二冷媒は、給湯用主膨張弁４３で減圧され、低温低圧の第二冷媒となる。
そして、低温低圧の第二冷媒は、第一給湯制御三方弁４５で分岐して一部が蒸発器として機能する中間熱交換器２１の二次側伝熱管２１ｂに流入する。中間熱交換器２１の二次側伝熱管２１ｂを通流する第二冷媒は、中間熱交換器２１の一次側伝熱管２１ａを通流する第一冷媒と熱交換することにより第一冷媒から熱を汲み上げる（吸熱する）。また、第一給湯制御三方弁４５で分岐した残部の低温低圧の第二冷媒は、蒸発器として機能する給湯熱源側熱交換器４４に流入する。給湯熱源側熱交換器４４を通流する第二冷媒は、給湯用ファン４４ａにより送られてくる空気（室外空気）と熱交換することにより空気（室外空気）から熱を汲み上げる（吸熱する）。中間熱交換器２１の二次側伝熱管２１ｂを通流し熱を汲み上げた（吸熱した）第二冷媒および給湯熱源側熱交換器４４を通流し熱を汲み上げた（吸熱した）第二冷媒は、第二給湯制御三方弁４６で合流し、給湯用圧縮機４１へと送られ、給湯用冷媒回路４０を循環する。
【００９９】
（運転モード５−１．暖房給湯運転（独立）モード：ステップＳ２０３）
図１２は、暖房給湯運転（独立）モードにおけるヒートポンプユニット１の冷媒、熱搬送媒体および被加熱液体の流れを示す系統図である。
このモードにおいて、中間熱交換器２１への冷媒の通流は、空調用冷媒回路１０・給湯用冷媒回路４０とも閉止している。
給湯用冷媒回路４０および給湯回路６０の動作は、図６に示す給湯運転モードと同様であり説明を省略する。
空調用冷媒回路１０および空調用熱搬送媒体循環回路５０の動作は、図８に示す暖房運転モードと同様であり説明を省略する。
【０１００】
（運転モード５−２．暖房給湯運転（空調余剰加熱）モード：ステップＳ２０４）
図１３は、暖房給湯運転（空調余剰加熱）モードにおけるヒートポンプユニット１の冷媒、熱搬送媒体および被加熱液体の流れを示す系統図である。
このモードは、空調負荷（暖房負荷）が小さい場合に実行され、中間熱交換器２１を介して空調用冷媒回路１０の余剰熱を給湯用冷媒回路４０で回収している。
給湯回路６０の動作は、図６に示す給湯運転モードと同様であり説明を省略する。
空調用熱搬送媒体循環回路５０の動作は、図７に示す冷房運転モードと同様であり説明を省略する。
給湯用冷媒回路４０の動作は、図１０に示す冷房給湯運転（排熱回収Ｂ）モードと同様であり説明を省略する。
【０１０１】
空調用冷媒回路１０について説明する。暖房運転モード（図８参照）における空調用冷媒回路１０と、暖房給湯運転（空調余剰加熱）モード（図１３参照）における空調用冷媒回路１０との差異点は、暖房運転モード（図８参照）では第一冷媒が空調利用側熱交換器１５を通流するのに対し、冷房給湯運転（排熱回収Ｂ）モード（図１０参照）では第一冷媒が空調利用側熱交換器１５および中間熱交換器２１の一次側伝熱管２１ａを通流する点で異なる。
即ち、制御装置４は、空調用圧縮機１１と空調利用側熱交換器１５との間を第一冷媒が通流可能なように、空調用圧縮機１１と中間熱交換器２１との間を第一冷媒が通流可能なように開弁し、空調用圧縮機１１から空調利用側熱交換器１５または中間熱交換器２１への開度（通流する第一冷媒の流量比率）を制御する。また、制御装置４は、第一空調制御弁２３および第二空調制御弁３３を開弁するように制御する。その他の制御は暖房運転モード（図８参照）における空調用冷媒回路１０と同様であり説明を省略する。
【０１０２】
空調用圧縮機１１から吐出された高温高圧の第一冷媒は、第二空調制御三方弁３２で分岐して一部が凝縮器として機能する空調利用側熱交換器１５の二次側伝熱管１５ｂに流入する。空調利用側熱交換器１５の二次側伝熱管１５ｂを通流する第一冷媒は、空調利用側熱交換器１５の一次側伝熱管１５ａを通流する熱搬送媒体と熱交換することにより放熱して、中温高圧の第一冷媒となる。また、第二空調制御三方弁３２で分岐した残部の高温高圧の第一冷媒は、バイパス回路３１を通流して、凝縮器として機能する中間熱交換器２１の一次側伝熱管２１ａに流入する。中間熱交換器２１の一次側伝熱管２１ａを通流する第一冷媒は、中間熱交換器２１の二次側伝熱管２１ｂを通流する第二冷媒と熱交換することにより放熱して、中温高圧の第一冷媒となる。空調利用側熱交換器１５から流出した中温高圧の第一冷媒および中間熱交換器２１の一次側伝熱管２１ａから流出した中温高圧の第一冷媒は、空調用補助膨張弁１６で減圧され、低温低圧の第一冷媒となる。
そして、低温低圧の第一冷媒は、蒸発器として機能する空調熱源側熱交換器１３に流入する。空調熱源側熱交換器１３を通流する第一冷媒は、空調用ファン１３ａにより送られてくる空気（室外空気）と熱交換することにより空気（室外空気）から熱を汲み上げる（吸熱する）。そして、吸熱した第一冷媒は、空調熱源側熱交換器１３から空調用圧縮機１１へと送られ、空調用冷媒回路１０を循環する。
【０１０３】
≪本実施形態に係る空調給湯システムの作用・効果≫
以上、本実施形態に係る空調給湯システムＳによれば、使用者の要求に応じて、「給湯運転」、「冷房運転」、「冷房給湯運転」、「暖房運転」および「暖房給湯運転」を運転可能な空調給湯システムＳとすることができる。
また、「冷房給湯運転」時において、空調用冷媒回路１０の排熱を給湯加熱に用いることができる冷房給湯運転（排熱回収Ａ）モード（図９参照）、冷房給湯運転（排熱回収Ｂ）モード（図１０参照）、冷房給湯運転（排熱回収Ｃ）モード（図１１参照）を実行することができる。
これにより、空調給湯システムＳの全体の効率を向上させることができる。
【０１０４】
ここで、特許文献１に記載の空気調和装置（空調給湯システム）と、本実施形態に係る空調給湯システムＳとを比較しつつ説明する。
特許文献１に記載の空気調和装置（空調給湯システム）は、暖房運転（暖房給湯運転）時において暖房負荷が低負荷の場合、空調サイクル（空調用冷媒回路１０）の第一圧縮機（本実施形態に係る空調給湯システムＳの空調用圧縮機１１に相当）が動作状態と停止状態を繰り返す断続運転となるため、空気調和装置（空調給湯システム）の運転効率が低下する。
【０１０５】
これに対し、本実施形態に係る空調給湯システムＳは、空調用冷媒回路１０にバイパス回路３１を備えているため、暖房給湯運転時においても中間熱交換器２１の一次側伝熱管２１ａ（空調用冷媒回路１０の側）を凝縮器として機能させることができる（図１３参照）。
これにより、本実施形態に係る空調給湯システムＳは、暖房給湯運転時において暖房負荷が低負荷の場合であっても、空調用圧縮機１１が連続運転の状態を保ったまま、空調利用側熱交換器１５に所望の熱量（空調用圧縮機１１から吐出された高温高圧の第一冷媒の一部）を供給し、余剰の熱量（空調用圧縮機１１から吐出された高温高圧の第一冷媒の残部）はバイパス回路３１を介して中間熱交換器２１の一次側伝熱管２１ａへと送られ、給湯用冷媒回路４０を介して給湯加熱に用いられる。
【０１０６】
これにより、空調用圧縮機１１の断続運転を防止し、余剰熱も高温の被加熱液体として蓄熱することができるので、空調給湯システムＳの全体としての運転効率を向上させることができる。
【０１０７】
即ち、本実施形態に係る空調給湯システムＳは、冷房運転・暖房運転においても、空調用冷媒回路１０から給湯用冷媒回路４０に熱（排熱、余剰熱）を受け渡すことができるので、一年を通して運転効率を向上させることが可能な空調給湯システムを構築することができる。
【０１０８】
本実施形態に係る空調給湯システムＳの効果についてさらに説明する。図１４は、東京における最寒日の前後日における暖房負荷の変動を示すグラフである。
図１４は、縦軸を暖房負荷［ｋＷ］（図１４のグラフ上では実線で示す）、室外空気温度［℃］（図１４のグラフ上では破線で示す）、日射量［ＭＪ］（図１４のグラフ上では一点鎖線で示す）とし、横軸を時刻［日］とし、最寒日（時刻１．０〜２．０［日］）の前日（時刻０．０〜１．０［日］）から翌日（２．０〜３．０［日］）までを示したものである。なお、暖房負荷は断熱性能を示すＱ値（熱損失係数）が１．６［Ｗ／ｍ２ ・Ｋ］の高断熱化住宅について求めた。
【０１０９】
昨今の省エネ化の要求に対応して、住宅（被空調空間）を高断熱化し、冬期の暖房負荷を低減することが試みられている。高断熱化住宅では暖房負荷が小さくなるため、室内空調において省エネ効果が得られると考えられる。
【０１１０】
しかしながら、暖房負荷が低減することにより空調用冷媒回路１０の空調用圧縮機１１が断続運転する状態となる場合がある。図１４に示すように、最寒日においても日中は暖房負荷が急低下（図１４では、約４．０ｋＷから約０．６ｋＷ）している。ここで、暖房負荷が所定値（例えば１．０ｋＷ）以下となると、空調用冷媒回路１０の空調用圧縮機１１が断続運転となる。このような断続運転は運転効率の面で望ましくない。
このように、住宅を高断熱化して暖房負荷を低減することにより期待される省エネ効果に対して、実際に空調システム（空調給湯システム）を運転した場合に得られる省エネ効果は、空調用圧縮機１１が断続運転となるため、小さなものとなっていた。
【０１１１】
これに対し、本実施形態に係る空調給湯システムＳは、暖房運転時において暖房負荷が低負荷の場合であっても、空調用冷媒回路１０の空調用圧縮機１１の断続運転を防止することができる。また、本実施形態に係る空調給湯システムＳは、暖房運転時においても中間熱交換器２１の一次側伝熱管２１ａを凝縮器として機能させることができるので、空調用冷媒回路１０の余剰熱を給湯に用いることができ、空調給湯システムＳの全体としての効率を向上させることができる。
【０１１２】
≪変形例≫
なお、本実施形態に係る空調給湯システムＳは、上記実施形態の構成に限定されるものではなく、発明の趣旨を逸脱しない範囲内で種々の変更が可能である。
【０１１３】
例えば、上記実施形態においては、ヒートポンプユニット１内の空調利用側熱交換器１５で熱搬送媒体を加熱（または冷却）して、室内ユニット２に供給し、室内ユニット２の室内熱交換器５３で加熱（または冷却）された熱搬送媒体と室内空気とを熱交換することにより、室内を暖房（冷房）するものとして説明したが、これに限られるものではなく、空調用熱搬送媒体循環回路５０を省略し、空調利用側熱交換器１５を室内ユニット２に設置し、空調利用側熱交換器１５内を通流する第一冷媒と室内空気との間で熱交換することにより暖房（冷房）する構成としてもよい。
【０１１４】
また、上記実施形態においては、被加熱液体は水であり、高温の被加熱液体（湯）をタンク６２に貯留し、タンク６２に貯留された高温の被加熱液体（湯）を給湯端末（図示せず）に供給するものとして説明したが、これに限られるものではなく、タンク６２に貯留された高温の被加熱液体と給湯端末（図示せず）に供給される給水との間で熱交換可能な熱交換器（図示せず）をさらに備え、タンク６２に貯留された高温の被加熱液体で給水を加熱して給湯端末（図示せず）に給湯する構成であってもよい。このように、被加熱液体は水に限られない。
【０１１５】
また、第一空調制御三方弁２２は、空調用圧縮機１１（空調用四方弁１２）から流入した第一冷媒を分岐して、空調熱源側熱交換器１３に流入する第一冷媒の流量と、中間熱交換器２１の一次側伝熱管２１ａに流入する第一冷媒の流量と、の流量比率を制御可能な三方弁であるものとして説明したが、これに限られるものではなく、２つの流量制御弁を設けて流量比率を制御する構成であってもよい。
同様に、第二空調制御三方弁３２、第一給湯制御三方弁４５および第二給湯制御三方弁４６についても、２つの流量制御弁を設ける構成であってもよい。
【０１１６】
また、第一空調制御弁２３は、必須の構成ではなく無くてもよい。ただし、中間熱交換器２１を使用しない際に第一空調制御弁２３を閉弁することにより、中間熱交換器２１を第一冷媒の循環回路から切り離すことができるので、第一空調制御弁２３を有していることが望ましい。
また、第二空調制御弁３３は、必須の構成ではなく無くてもよい。ただし、バイパス回路３１を使用しない際に第二空調制御弁３３を閉弁することにより、バイパス回路３１を第一冷媒の循環回路から切り離すことができるので、第二空調制御弁３３を有していることが望ましい。
【符号の説明】
【０１１７】
Ｓ        空調給湯システム
１        ヒートポンプユニット
２        室内ユニット
３        給湯タンクユニット
４        制御装置
１０      空調用冷媒回路
１１      空調用圧縮機
１２      空調用四方弁（空調用運転切替手段）
１３      空調熱源側熱交換器
１３ａ    空調用ファン
１４      空調用主膨張弁（減圧装置、第一減圧装置）
１５      空調利用側熱交換器
１５ａ    空調利用側熱交換器の一次側伝熱管
１５ｂ    空調利用側熱交換器の二次側伝熱管
１６      空調用補助膨張弁（減圧装置、第二減圧装置）
２１      中間熱交換器
２１ａ    中間熱交換器の一次側伝熱管
２１ｂ    中間熱交換器の二次側伝熱管
２２      第一空調制御三方弁（第一分岐部）
２３      第一空調制御弁
２４      合流部
３１      バイパス回路
３２      第二空調制御三方弁（第二分岐部）
３３      第二空調制御弁
４０      給湯用冷媒回路
４１      給湯用圧縮機
４２      給湯利用側熱交換器
４２ａ    給湯利用側熱交換器の一次側伝熱管
４２ｂ    給湯利用側熱交換器の二次側伝熱管
４３      給湯用主膨張弁（第三減圧装置）
４４      給湯熱源側熱交換器
４４ａ    給湯用ファン
４５      第一給湯制御三方弁
４６      第二給湯制御三方弁
５０      空調用熱搬送媒体循環回路
５１      第一ポンプ
５２      熱搬送媒体四方弁
５３      室内熱交換器
５３ａ    室内ファン
６０      給湯回路
６１      第二ポンプ
６２      タンク
６３      給水金具
６４      給湯金具
【図１】
2012114450.tif 000003
【図２】
2012114450.tif 000004
【図３】
2012114450.tif 000005
【図４】
2012114450.tif 000006
【図５】
2012114450.tif 000007
【図６】
2012114450.tif 000008
【図７】
2012114450.tif 000009
【図８】
2012114450.tif 000010
【図９】
2012114450.tif 000011
【図１０】
2012114450.tif 000012
【図１１】
2012114450.tif 000013
【図１２】
2012114450.tif 000014
【図１３】
2012114450.tif 000015
【図１４】
2012114450.tif 000016
【国際調査報告】
2012114450.tif 000017
2012114450.tif 000018